(57)【要約】【課題】  異なるプローブが固定された微粒子を所定の順序に少ない工程で容易に配列できる検査用チップ、およびその製造方法、さらには前記検査用チップを用いた検査方法を提供する。【解決手段】  凹部１１を有する基体１０と、蓋体７０とを有し、前記凹部１１と前記蓋体７０とに囲まれた空間５０が形成されている。この空間５０内に微粒子３１、３２、３３、３４が配置されており、前記空間５０内には複数の位置規制部２０、２１、２２、２３が、前記微粒子３１、３２、３３、３４の直径寸法Ｄ１、Ｄ２、Ｄ３、Ｄ４以下の規制間隔Ｗ１、Ｗ２、Ｗ３、Ｗ４を空けて配列された位置規制手段部１２ａ、１２ｂ、１２ｃ、１２ｄが配設されており、前記微粒子３１、３２、３３、３４が前記位置規制手段部１２ａ、１２ｂ、１２ｃ、１２ｄによって位置規制されている。【選択図】  図２
2006058195.tif 000002
【特許請求の範囲】
【請求項１】
凹部を有する基体と、蓋体とを備え、前記凹部と前記蓋体とに囲まれた空間内に異なる粒径寸法で形成された複数種類の微粒子が収納可能であるとともに、この空間内に前記微粒子の位置規制手段が形成され、
前記位置規制手段が所定の規制間隔を空けて配設された位置規制部を有し、前記規制間隔の距離が、前記微粒子よりも小径の微粒子を通過させる寸法で形成されていることを特徴とする検査用プレート。
【請求項２】
前記空間内には前記規制間隔が異なる複数の位置規制手段が形成されており、
複数の前記位置規制手段は、前記検査用プレートの最も前縁側に位置する前記位置規制手段の前記規制間隔が最も大きく、且つ前記検査用プレートの最も後縁側に位置する前記位置規制手段の前記規制間隔が最も小さくなるように、前記前縁側から後縁側に向かうにしたがって前記規制間隔が小さくなる順序で配設されており、
前記位置規制手段によって、前記微粒子が各直径寸法ごとに同じ領域で位置規制されている請求項１記載の検査用プレート。
【請求項３】
前記位置規制部は前記凹部の底面から前記基体の上面方向に延びる複数の突部によって形成され、複数の前記突部が前記規制間隔を空けて形成されて前記位置規制手段を構成する請求項１または２記載の検査用プレート。
【請求項４】
前記位置規制部は、前記凹部の底面に形成された前記微粒子との接触部と、前記蓋体の下面に形成された前記微粒子との接触部によって形成され、前記両接触部が前記規制間隔を空けて形成されて前記位置規制手段を構成する請求項１または２記載の検査用プレート。
【請求項５】
請求項２ないし４のいずれかに記載の検査用プレートを用いた検査方法において、前記微粒子を被検査物である検体と混合した後に、
前記微粒子を前記検体とともに、最も前記検査用プレートの前縁側に形成された前記位置規制手段から最も後縁側に形成された前記位置規制手段へ向かって順次前記位置規制手段に供給して、前記微粒子を前記位置規制手段によって位置規制し、
次に、前記各位置規制手段によって位置規制された微粒子と前記検体との反応状態を検出することを特徴とする検査方法。
【発明の詳細な説明】
【技術分野】
【０００１】
本発明は、例えば血液検査、尿検査、あるいはＤＮＡ検査を医療機関や個人などで行なうことが可能な簡易な検査用プレート、およびその製造方法に係わり、特に、プローブが固定された微粒子をプローブの種類毎に容易に配列できる検査用プレート、および前記微粒子が配列された検査用プレートの製造方法に関する。
【背景技術】
【０００２】
近年、血液や尿など、人体からの採取物に対する検査用のチップの開発が盛んになっている。例えば、ＤＮＡチップは、ガラスなどの基板上に多種類のＤＮＡ断片（プローブ）を貼り付けた物で、人から採取した遺伝子（検体，あるいはターゲット）の働き具合（発現）等を一度に測定することが出来る。
【０００３】
このような検査用チップは、従来、試験管とスポイト、あるいは攪拌機等で行なわれていた生化学反応を前記チップ上で行なうことで、高速度で検査することができ、また検査工程の簡略化を図ることが可能であると考えられ、注目を浴びている。
【０００４】
ところで検査チップは、現在、研究用チップとして大学や研究機関向けに開発されているのが主流であるが、将来的には、医療機関や個人向けへの簡易な検査チップが商品化されることが期待される。
【０００５】
このような検査用チップとして、種々のプローブが固定された微粒子（固定化微粒子）が所定の順序で配列されて構成された、いわゆるビーズ方式と呼ばれるものがある。このビーズ方式検査用チップでは、この固定化微粒子を検体と接触させることによって、前記プローブと前記検体とを反応させる。そして、どの種類のプローブが検体と反応したか、あるいは反応しなかったかを測定することによって、目的とする検査が可能となっている。
【０００６】
下記の特許文献１には、固定化微粒子が所定の順序に配列されたビーズ方式検査用チップに関する技術思想が開示されている。
【特許文献１】特開２０００−３４６８４２号公報
【発明の開示】
【発明が解決しようとする課題】
【０００７】
前記特許文献１に開示された技術思想は、固定化微粒子がプローブの種類毎に定められた所定の順序で配列されたものであるが、この配列作業を各プローブの種類毎に各々行っているため、この配列作業の工程数が非常に多くなり、製造効率に劣る。
【０００８】
また、前記特許文献１に開示された技術思想では、まず同じ種類のプローブが固定された複数個の固定化微粒子を、補足穴が形成されたシートを有するセル内に導入した後、これら複数の固定化微粒子を揺動させることにより１つの固定化微粒子を前記ビーズ補足穴の内部に位置させる。次に、残りの固定化微粒子を排出した後、前記ビーズ補足穴と、キャピラリー保持基板に形成されたキャピラリー軸とを対向させて、前記ビーズ補足穴の内部に位置する固定化微粒子を、前記キャピラリー軸に導通している配列用キャピラリー内に導入する。このように、前記特許文献１に開示された技術思想では、前記固定化微粒子の配列工程数が非常に多く必要となるため、配列作業が非常に煩雑となる。
【０００９】
本発明は前記従来の問題を解決するものであり、異なるプローブが固定された微粒子を所定の順序に少ない工程で容易に配列できる検査用チップ、およびその製造方法、さらには前記検査用チップを用いた検査方法を提供することを目的とする。
【課題を解決するための手段】
【００１０】
本発明の検査用プレートは、凹部を有する基体と、蓋体とを備え、前記凹部と前記蓋体とに囲まれた空間内に異なる粒径寸法で形成された複数種類の微粒子が収納可能であるとともに、この空間内に前記微粒子の位置規制手段が形成され、
前記位置規制手段が所定の規制間隔を空けて配設された位置規制部を有し、前記規制間隔の距離が、前記微粒子よりも小径の微粒子を通過させる寸法で形成されていることを特徴とするものである。
【００１１】
この場合、前記空間内には前記規制間隔が異なる複数の位置規制手段が形成されており、
複数の前記位置規制手段は、前記検査用プレートの最も前縁側に位置する前記位置規制手段の前記規制間隔が最も大きく、且つ前記検査用プレートの最も後縁側に位置する前記位置規制手段の前記規制間隔が最も小さくなるように、前記前縁側から後縁側に向かうにしたがって前記規制間隔が小さくなる順序で配設されており、
前記位置規制手段によって、前記微粒子が各直径寸法ごとに同じ領域で位置規制されているものとして構成できる。
【００１２】
また、前記位置規制部は前記凹部の底面から前記基体の上面方向に延びる複数の突部によって形成され、複数の前記突部が前記規制間隔を空けて形成されて前記位置規制手段を構成することや、前記位置規制部は、前記凹部の底面に形成された前記微粒子との接触部と、前記蓋体の下面に形成された前記微粒子との接触部によって形成され、前記両接触部が前記規制間隔を空けて形成されて前記位置規制手段を構成することができる。
【００１３】
また本発明は、請求項２ないし４のいずれかに記載の検査用プレートを用いた検査方法において、前記微粒子を被検査物である検体と混合した後に、
前記微粒子を前記検体とともに、最も前記検査用プレートの前縁側に形成された前記位置規制手段から最も後縁側に形成された前記位置規制手段へ向かって順次前記位置規制手段に供給して、前記微粒子を前記位置規制手段によって位置規制し、
次に、前記各位置規制手段によって位置規制された微粒子と前記検体との反応状態を検出することを特徴とするものである。
【発明の効果】
【００１４】
本発明の前記検査用プレートでは、微粒子を検査用プレートの所定位置（順序）に確実に配列させることを容易に行うことが可能である。また、前記微粒子の配列作業を極めて簡単にすることができるため、検査用プレートを容易に製造できる。
【００１５】
さらには、微粒子の配列作業とともに、プローブと前記検体とのハイブリダイゼーションとを同じ操作で行うことができるため、迅速な検査を行うことが可能である。
【発明を実施するための最良の形態】
【００１６】
図１は本発明の第１の実施形態である検査用プレートの外観斜視図、図２は図１に示す検査用プレートを上方向（図１に示すＺ１方向）から見た平面図、図３は図１に示す検査用プレートをＩＩＩ−ＩＩＩ線で切断して図示Ｘ１方向から見た状態を示した切断断面図である。
【００１７】
図１に示す検査用プレート１は、例えば人体から血液や尿などを採取して検体とし、この検体を所定の試薬などと反応させて所定の検査を行なうためのものである。前記検査用プレートを例えばＤＮＡチップとして用いる場合には、採取した前記血液などの検体に蛍光標識処理などの所定の処理を施して使用する。
【００１８】
図１に示す実施形態では、前記検査用プレート１は、幅方向（図示Ｘ１−Ｘ２方向）の両端から直角に長さ方向（図示Ｙ１−Ｙ２方向）に延びる所定の厚みを有した略直方形状であるが、前記略直方形状以外の形状であってもかまわない。
【００１９】
前記検査用プレート１は、基体１０と蓋体７０とで構成される。前記基体１０及び蓋体７０は、ガラスや樹脂などで形成されたものである。前記基体１０及び蓋体７０は所定の蛍光強度を有する材質で形成される。特に前記検査用プレート１をＤＮＡチップやプロテインチップ等として用いる場合には、前記検査用プレート１は低蛍光性で、耐薬品性に優れた材質であることが好ましく、例えば石英ガラス、ポリジメチルシロキサン（ＰＤＭＳ）、ポリメタクリル酸メチル（ＰＭＭＡ）などで形成される。
【００２０】
前記検査用プレート１が樹脂で形成されるときは、射出成形によって前記検査用プレート１を成形することが好ましい。
【００２１】
なお前記基体１０と蓋体７０は同じ材質で形成されなくてもよいが、同じ材質で形成された方が、前記基体１０と蓋体７０とを接着剤無しに接合させやすい等の利点があって好ましい。
【００２２】
図４は、前記基体１０を上方向（図１に示すＺ１方向）から見た平面図、図５は前記基体１０を図４に示すＶ−Ｖ線で切断して図４に示すＹ１方向から見た状態を示す切断断面図である。
【００２３】
図３および図４に示すように、前記基体１０は上面１０ａに、所定の深さ寸法ｈ１を有する凹部１１が形成されている。図１に示す実施形態では、前記凹部１１は、前記凹部１１の上縁１１ａ側から下縁１１ｂ側に向かうにしたがって、右側縁１１ｃと左側縁１１ｄとの間の幅寸法（図４に示すＸ１−Ｘ２方向の幅寸法）が徐々に小さくなるように構成されており、平面形状が台形形状となるように形成されている。ただし、本発明では、前記凹部１１の平面形状は他の形状で構成されていても良い。
【００２４】
図３に示すように、図１に示す実施形態では、前記凹部１１の前記深さ寸法ｈ１は、前記上縁１１ａから前記下縁１１ｂにかけて同じ寸法で形成されている。したがって、前記凹部１１の底面１１ｅは、前記上面１０ａと水平な水平面として構成されている。
【００２５】
図３ないし図５に示すように、前記凹部１１の前記底面１１ｅには、前記上面１０ａに向かって延びる第１篩部１２ａ、第２篩部１２ｂ、第３篩部１２ｃ、第４篩部１２ｄが形成されている。この各篩部１２ａ、１２ｂ、１２ｃ、１２ｄが、本発明の位置規制手段を構成する。
【００２６】
この第１篩部１２ａは、前記底面１１ｅから前記上面１０ａに向かって延びる複数の凸部２０によって構成されている。図４に示すように、前記第１篩部１２ａでは、複数の前記凸部２０同士が所定の間隔Ｗ１を空けて位置するように構成されている。また、幅方向（図４に示すＸ１−Ｘ２方向）における両端に形成された前記凸部２０では、前記凸部２０から前記凹部１１の前記右側縁１１ｃまでの間隔も前記Ｗ１で構成されている。ここで、前記凸部２０から前記右側縁１１ｃまでの間隔は、前記凸部２０の前記上縁２０ａの縦方向位置（図４に示すＹ１−Ｙ２方向における位置）と同じ縦方向位置における、前記凸部２０から前記右側縁１１ｃまでの間隔を意味する。なお図示はしていないが、前記凸部２０から前記凹部１１の前記左側縁１１ｄまでの間隔も同様に前記Ｗ１で構成されている。
【００２７】
前記第２篩部１２ｂは、前記底面１１ｅから前記上面１０ａに向かって延びる複数の凸部２１によって構成されている。前記第２篩部１２ｂでは、複数の前記凸部２１同士が所定の間隔Ｗ２を空けて位置するように構成されている。ここで、最も前記右側縁１１ｃ側に位置する前記凸部２１から前記右側縁１１ｃまでの間隔は、前記凸部２１の前記上縁２１ａの縦方向位置（図４に示すＹ１−Ｙ２方向における位置）と同じ縦方向位置における、前記凸部２１から前記右側縁１１ｃまでの間隔を意味する。なお図示はしていないが、最も前記左側縁１１ｄ側に位置する前記凸部２１から前記凹部１１の前記左側縁１１ｄまでの間隔も同様に前記Ｗ２で構成されている。
【００２８】
前記第３篩部１２ｃは、前記底面１１ｅから前記上面１０ａに向かって延びる複数の凸部２２によって構成されている。前記第３篩部１２ｃでは、複数の前記凸部２２同士が所定の間隔Ｗ３を空けて位置するように構成されている。ここで、最も前記右側縁１１ｃ側に位置する前記凸部２２から前記右側縁１１ｃまでの間隔は、前記凸部２２の前記上縁２０ａの縦方向位置（図４に示すＹ１−Ｙ２方向における位置）と同じ縦方向位置における、前記凸部２２から前記右側縁１１ｃまでの間隔を意味する。なお図示はしていないが、最も前記左側縁１１ｄ側に位置する前記凸部２２から前記凹部１１の前記左側縁１１ｄまでの間隔も同様に前記Ｗ３で構成されている。
【００２９】
前記第４篩部１２ｄは、前記底面１１ｅから前記上面１０ａに向かって延びる複数の凸部２３によって構成されている。前記第４篩部１２ｄでは、複数の前記凸部２３同士が所定の間隔Ｗ４を空けて位置するように構成されている。ここで、最も前記右側縁１１ｃ側に位置する前記凸部２３から前記右側縁１１ｃまでの間隔は、前記凸部２３の前記上縁２０ａの縦方向位置（図４に示すＹ１−Ｙ２方向における位置）と同じ縦方向位置における、前記凸部２３から前記右側縁１１ｃまでの間隔を意味する。なお図示はしていないが、最も前記左側縁１１ｄ側に位置する前記凸部２３から前記凹部１１の前記左側縁１１ｄまでの間隔も同様に前記Ｗ４で構成されている。
【００３０】
前記凸部２０、２１、２２、２３が、本発明の位置規制部となる。
前記検査用プレート１が樹脂で形成されるときは、前記凹部１１、および凸部２０、２１、２２、２３は射出成形によって形成することができる。また、また前記検査用プレート１がガラスで形成されるときは、前記凹部１１、および凸部２０、２１、２２、２３は熱プレスにより成形できる。
【００３１】
また、前記間隔Ｗ１は前記間隔Ｗ２、Ｗ３およびＷ４よりも大きく形成され、前記間隔Ｗ２は前記間隔Ｗ３およびＷ４より大きく形成され、前記間隔Ｗ３は前記間隔Ｗ４よりも大きく形成されている。この前記間隔Ｗ１、Ｗ２、Ｗ３、Ｗ４が、本発明の規制間隔となる。
【００３２】
すなわち、前記間隔Ｗ１と前記間隔Ｗ２と前記間隔Ｗ３と前記間隔Ｗ４の大きさの関係は、Ｗ１＞Ｗ２＞Ｗ３＞Ｗ４の関係を有している。すなわち、前記検査用プレート１の最も前縁１ａ側に位置する前記第１篩部１２ａの前記凸部２０の前記間隔Ｗ１が最も大きく、且つ前記検査用プレート１の最も後縁１ｂ側に位置する前記第４篩部１２ｄの前記凸部２３の前記間隔Ｗ４が最も小さい。また、前記前縁１ａ側から前記後縁１ｂ側に向かうにしたがって、前記間隔Ｗ１、Ｗ２、Ｗ、Ｗ４が段階的に小さくなる順序で、前記各篩部１２ａ、１２ｂ、１２ｃ、１２ｄが配設されている。
【００３３】
図４に示すように、前記第１篩部１２ａは、前記凸部２０の上縁２０ａが前記底面１１ｅの前記上縁１１ａから所定の間隔Ｗ５を空けた位置に形成されている。
【００３４】
また前記第２篩部１２ｂは、前記凸部２１の上縁２１ａが前記第１篩部１２ａを構成する前記凸部２０の下縁２０ｂから所定の間隔Ｗ６を空けた位置に形成されている。
【００３５】
また前記第３篩部１２ｃは、前記凸部２２の上縁２２ａが前記第２篩部１２ｂを構成する前記凸部２１の下縁２１ｂから所定の間隔Ｗ７を空けた位置に形成されている。
【００３６】
さらに前記第４篩部１２ｄは、前記凸部２３の上縁２３ａが前記第３篩部１２ｃを構成する前記凸部２２の下縁２２ｂから所定の間隔Ｗ８を空けた位置に形成されている。
【００３７】
前記間隔Ｗ５は、後記する第１微粒子３１の直径寸法Ｄ１よりも大きいことが好ましい。また前記間隔Ｗ６は、後記する第２微粒子３２の直径寸法Ｄ２よりも大きいことが好ましい。また前記間隔Ｗ７は、後記する第３微粒子３３の直径寸法Ｄ３よりも大きいことが好ましい。さらに前記間隔Ｗ８は、後記する第４微粒子３４の直径寸法Ｄ４よりも大きいことが好ましい。
【００３８】
図１ないし図３に示すように、前記基体１０には、上方向（図示Ｚ１方向）から前記蓋体７０が重ねられている。図３に示すように、前記蓋体７０は、上面７０ａと対向する下面７０ｂが、前記基体１０の前記上面１０ａと接合されている。
【００３９】
図３に示すように、前記凹部１１の前記上縁１１ａと前記第１篩部１２ａを構成する前記凸部２０の上縁２０ａ、および前記凹部の前記右側縁１１ｃと前記左側縁１１ｄとで囲まれた領域が第１領域４１を構成する。
【００４０】
また、前記第１篩部１２ａを構成する前記凸部２０の下縁２０ｂと前記第２篩部１２ｂを構成する前記凸部２１の上縁２１ａ、および前記凹部１１の前記右側縁１１ｃと前記左側縁１１ｄとで囲まれた領域が第２領域４２を構成する。
【００４１】
また、前記第２篩部１２ｂを構成する前記凸部２１の下縁２１ｂと前記第３篩部１２ｃを構成する前記凸部２２の上縁２２ａ、および前記凹部１１の前記右側縁１１ｃと前記左側縁１１ｄとで囲まれた領域が第３領域４３を構成する。
【００４２】
また、前記第３篩部１２ｃを構成する前記凸部２２の下縁２２ｂと前記第４篩部１２ｄを構成する前記凸部２３の上縁２３ａ、および前記凹部１１の前記右側縁１１ｃと前記左側縁１１ｄとで囲まれた領域が第４領域４４を構成する。
【００４３】
また、前記第４篩部１２ｄを構成する前記凸部２３の下縁２３ｄと前記凹部１１の前記下縁１１ｂ、および前記凹部１１の前記右側縁１１ｃと前記左側縁１１ｄとで囲まれた領域が第５領域４５を構成する。
【００４４】
前記検査用プレート１には、図１および図３に示すように、前記第１領域４１と前記蓋体７０の前記下面７０ｂとで囲まれた第１空間５１が形成されている。また、前記第２領域４２と前記蓋体７０の前記下面７０ｂとで囲まれた第２空間５２が形成されている。また、前記第３領域４３と前記蓋体７０の前記下面７０ｂとで囲まれた第３空間５３が形成されている。また、前記第４領域４４と前記蓋体７０の前記下面７０ｂとで囲まれた第４空間５４が形成されている。さらに、前記第５領域４５と前記蓋体７０の前記下面７０ｂとで囲まれた第５空間５５が形成されている。
【００４５】
また図２および図３に示すように、前記第１空間５１、第２空間５２、第３空間５３、および第４空間５４、即ち前記凹部１１と前記蓋体７０とで囲まれた領域が空間５０を形成している。
【００４６】
図１ないし図３に示すように、前記蓋体７０には、前記上面７０ａから前記下面７０ｂにかけて貫通する穴７０ｃおよび７０ｄが形成されている。
【００４７】
前記穴７０ｃは、前記第１領域４１と対向する位置に形成されており、前記穴７０ｃを介して、前記第１空間５１が前記検査用プレート１の外部と連通している。
【００４８】
前記穴７０ｃの縦方向（図１に示すＹ１−Ｙ２方向）における寸法Ｈは、後記する第１微粒子３１、第２微粒子３２、第３微粒子３３、および第４微粒子３４の直径寸法Ｄ１、Ｄ２、Ｄ３、およびＤ４よりも大きく形成されている。
【００４９】
前記穴７０ｄは、前記第５領域４５と対向する位置に形成されており、前記穴７０ｄを介して、前記第５空間５５が前記検査用プレート１の外部と連通している。
【００５０】
図２および図３に示すように、前記検査用プレート１には、前記第１空間５１内に複数の第１微粒子３１が位置するように設けられている。また、前記第２空間５２内に複数の第２微粒子３２が位置するように設けられている。また、前記第３空間５３内に複数の第３微粒子３３が位置するように設けられている。また、前記第４空間５４内に複数の第４微粒子３４が位置するように設けられている。
【００５１】
なお図２および図３に示す実施形態では、前記第１微粒子３１、第２微粒子３２、第３微粒子３３、および第４微粒子３４を、それぞれ複数個有して構成されているが、本発明では、これらの微粒子３１、３２、３３、３４の数は限定されるものではなく、任意の数で構成できる。また、図２および図３に示す実施形態では、４種類の微粒子３１、３２、３３、３４を有する構成であるが、本発明ではこれに限定されるものではなく、微粒子を３種類以下あるいは５種類以上有する構成にしても良い。また、前記領域の数も、前記微粒子の数に合わせて任意に変化させることもできる。
【００５２】
前記第１微粒子３１、第２微粒子３２、第３微粒子３３、および第４微粒子３４は、ガラスあるいは繊維などによって形成されている。図２および図３に示す実施形態では、前記第１微粒子３１、第２微粒子３２、第３微粒子３３、および第４微粒子３４はそれぞれ球形に構成されているが、本発明では、前記第１微粒子３１、第２微粒子３２、第３微粒子３３、および第４微粒子３４が他の形状で構成されていても良いが、後記する効果を適切に発揮するためには球形で形成されることが好ましい。
【００５３】
図２に示すように、前記第１微粒子３１は直径寸法Ｄ１で形成されている。また前記第２微粒子３２は直径寸法Ｄ２で形成され、前記第３微粒子３３は直径寸法Ｄ３で形成され、前記第４微粒子３４は直径寸法Ｄ４で形成されている。
【００５４】
前記第１微粒子３１の前記直径寸法Ｄ１は、前記第２微粒子３２の前記直径寸法Ｄ２、前記第３微粒子３３の前記直径寸法Ｄ２、および前記第４微粒子３４の前記直径寸法Ｄ４よりも大きく形成されている。
【００５５】
また、前記第２微粒子３２の前記直径寸法Ｄ２は、前記第３微粒子３３の前記直径寸法Ｄ３、前記第４微粒子３４の前記直径寸法Ｄ４よりも大きく形成されている。
【００５６】
また、前記第３微粒子３３の前記直径寸法Ｄ３は、前記第４微粒子３４の前記直径寸法Ｄ４よりも大きく形成されている。
【００５７】
すなわち、前記第１微粒子３１の前記直径寸法Ｄ１と、前記第２微粒子３２の前記直径寸法Ｄ２と、前記第３微粒子３３の前記直径寸法Ｄ３と、前記第４微粒子３４の前記直径寸法Ｄ４との関係は、Ｄ１＞Ｄ２＞Ｄ３＞Ｄ４の関係を有している。
【００５８】
また、前記第１微粒子３１の前記直径寸法Ｄ１は、前記間隔Ｗ１よりも大きく形成されている。
【００５９】
また、前記第２微粒子３２の前記直径寸法Ｄ２は、前記間隔Ｗ１よりも小さく形成され、かつ前記間隔Ｗ２よりも大きく形成されている。
【００６０】
また、前記第３微粒子３３の前記直径寸法Ｄ３は、前記間隔Ｗ１およびＷ２よりも小さく形成され、かつ前記間隔Ｗ３よりも大きく形成されている。
【００６１】
また、前記第４微粒子３４の直径寸法Ｄ４は、前記間隔Ｗ１、Ｗ２およびＷ３よりも小さく形成され、かつ前記間隔Ｗ４よりも大きく形成されている。
【００６２】
複数の前記第１微粒子３１にはそれぞれ同じプローブ（ＤＮＡの断片）が表面に固着されている。また、複数の前記第２微粒子３２にはそれぞれ同じプローブが表面に固着されており、複数の前記第３微粒子３３にはそれぞれ同じプローブが表面に固着されており、複数の前記第４微粒子３４にはそれぞれ同じプローブが表面に固着されている。
【００６３】
また、前記第１微粒子３１、第２微粒子３２、第３微粒子３３、および第４微粒子３４に固着されたそれぞれのプローブは、前記各微粒子３１、３２、３３、３４毎に異なっている。さらに、前記各微粒子３１、３２、３３、３４には、それぞれ異なる種類の蛍光色素が同じ割合で配合され、または同じ若しくは異なる種類の蛍光色素が異なる割合で配合されている。この蛍光色素の種類の相異または配合の割合の相異で、どの微粒子にどのプローブが固着されているのかを認識することができる。
【００６４】
本発明の前記検査用プレート１の前記各微粒子３１、３２、３３、３４の配置方法を、図６ないし図１０を用いて説明する。ここで、図６では説明を分かり易くするために、前記検査用プレート１の前記凹部１１と前記各篩部１２ａ、１２ｂ、１２ｃ、１２ｄを構成する各凸部２０、２１、２２、２３、および前記各微粒子３１、３２、３３、３４のみを示し、前記蓋体７０を省略して模式的に示しているが、実際には前記蓋体７０を有するものである。
【００６５】
まず、前記第１微粒子３１、前記第２微粒子３２、前記第３微粒子３３、および前記第４微粒子３４を、前記穴７０ｃから前記第１空間５１内に供給する。このときに、前記検査用プレート１は、後縁１ｂを下方向（図１に示すＹ１方向）に向けるとともに、前縁１ａを上方向（図１に示すＹ２方向）に向けて、縦置きの状態となるようにする。なお、前記検査用プレート１を縦置きの状態とするのは、前記各微粒子３１、３２、３３、３４を前記第１空間５１内に供給する前であっても、あるいは後であってもどちらでも構わない。前記第１空間５１内に前記各微粒子３１、３２、３３、および３４が供給された状態を示すのが図６である。
【００６６】
前記各第１空間５１内に供給された前記各微粒子３１、３２、３３、３４は、前記検査用プレート１が縦置きの状態とされていることから、自重によって前記穴７０ｄ方向、すなわち前記第２空間５２方向へ移動し、前記第１篩部１２ａに流れる。
【００６７】
このとき前記したように、前記第１微粒子３１の直径寸法Ｄ１は、前記凸部２０同士の間隔Ｗ１と、前記凸部２３と前記凹部１１の右側縁１１ｃおよび左側縁１１ｄとの間隔Ｗ１よりもそれぞれ大きいため、前記第１微粒子３１は、前記凸部２０によって落下を妨げられて前記第１空間５１内に留まり、前記第１空間５１内に位置規制される。一方、前記第２微粒子３２、第３微粒子３３、および第４微粒子３４は、それぞれの直径寸法Ｄ２、Ｄ３、およびＤ４が、前記間隔Ｗ１よりも小さいため、図６の矢印で示すように、前記凸部２０の間と、前記凸部２０と前記凹部１１の右側縁１１ｃおよび左側縁１１ｄとの間を通過して前記第２空間５２内に移動可能である。したがって、前記第１微粒子３１は、前記凸部２０で構成される第１篩部１２ａによって篩い分けられる。このときの状態を示したのが図７である。
【００６８】
次に図７に示す状態で、前記各第２空間５２内に移動した前記各微粒子３２、３３、３４は、前記検査用プレート１が縦置きの状態とされていることから、自重によって前記第３空間５３方向へ移動を続け、前記第２篩部１２ｂに流れる。
【００６９】
このとき前記したように、前記第２微粒子３２の直径寸法Ｄ２は、前記凸部２１同士の間隔Ｗ２と、前記凸部２１と前記凹部１１の右側縁１１ｃおよび左側縁１１ｄとの間隔Ｗ２よりもそれぞれ大きいため、前記第２微粒子３２は、前記凸部２１によって落下を妨げられて前記第２空間５２内に留まり、前記第２空間５２内に位置規制される。したがって、前記第２微粒子３２は、前記凸部２２で構成される第２篩部１２ｂによって篩い分けられる。一方、前記第３微粒子３３、および第４微粒子３４は、それぞれの直径寸法Ｄ３およびＤ４が、前記間隔Ｗ２よりも小さいため、図７の矢印で示すように、前記凸部２１の間と、前記凸部２１と前記凹部１１の右側縁１１ｃおよび左側縁１１ｄとの間を通過して前記第３空間５３内に移動可能である。このときの状態を示したのが図８である。
【００７０】
次に図８に示す状態で、前記各第３空間５３内に移動した前記各微粒子３３、３４は、前記検査用プレート１が縦置きの状態とされていることから、自重によって前記第４空間５４方向へ移動を続け、前記第３篩部１２ｃに流れる。
【００７１】
このとき前記したように、前記第３微粒子３３の直径寸法Ｄ３は、前記凸部２２同士の間隔Ｗ３と、前記凸部２２と前記凹部１１の右側縁１１ｃおよび左側縁１１ｄとの間隔Ｗ３よりもそれぞれ大きいため、前記第３微粒子３３は、前記凸部２２によって落下を妨げられて前記第３空間５３内に留まり、前記第３空間５３内に位置規制される。したがって、前記第３微粒子３３は、前記凸部２３で構成される第３篩部１２ｃによって篩い分けられる。一方、前記第４微粒子３４は、直径寸法Ｄ４が、前記間隔Ｗ３よりも小さいため、図８の矢印で示すように、前記凸部２２の間と、前記凸部２２と前記凹部１１の右側縁１１ｃおよび左側縁１１ｄとの間を通過して前記第４空間５４内に移動可能である。このときの状態を示したのが図９である。
【００７２】
そして、図９に示す状態で、前記第４空間５４内に移動した前記第４微粒子３４は、前記検査用プレート１が縦置きの状態とされていることから、自重によって前記第５空間５５方向へ移動を続け、前記第４篩部１２ｄに流れる。
【００７３】
このとき前記したように、前記第４微粒子３４の直径寸法Ｄ４は、前記凸部２３同士の間隔Ｗ４と、前記凸部２３と前記凹部１１の右側縁１１ｃおよび左側縁１１ｄとの間隔Ｗ４よりもそれぞれ大きいため、前記第４微粒子３４は、前記凸部２３によって落下を妨げられて前記第４空間５４内に留まり、前記第４空間５４内に位置規制される。したがって、前記第４微粒子３４は、前記凸部２３で構成される第４篩部１２ｄによって篩い分けられる。この状態を示したのが図１０である。
【００７４】
前記各微粒子３１、３２、３３、３４を、液体あるいは気体からなる搬送物質とともに前記第１空間５１内に供給すると、前記各微粒子３１、３２、３３、３４を適切に前記第１空間５１から前記第５空間５５に向かって移動させ易くすることができるためことが好ましい。この際、液体あるいは気体からなる搬送物質は、前記穴７０ｄから排出される。
【００７５】
なお、前記各微粒子３１、３２、３３、３４を搬送物質とともに前記第１空間５１内に供給しない場合には前記穴７０ｄを設けなくても、前記各微粒子３１、３２、３３、３４を移動させることができるが、前記穴７０ｄがあれば、前記穴７０ｄが空気抜きとして機能するため、前記各微粒子３１、３２、３３、３４を移動させやすくできるため好ましい。
【００７６】
本発明の前記検査用プレート１では、前記各微粒子３１、３２、３３、３４をまとめて前記穴７０ｃから前記第１空間５１内に供給すれば、前記各篩部１２ａ、１２ｂ、１２ｃ、１２ｄによって前記各微粒子３１、３２、３３、３４が篩い分けられるため、前記各微粒子３１、３２、３３、３４を、ｌ前記検査用プレート１の所定位置（順序）に確実に配列させることを容易に行うことが可能である。したがって、前記検査用プレート１内に、前記各微粒子３１、３２、３３、３４を配列する際、各微粒子３１、３２、３３、３４の種類毎に別々に挿入する必要がないため、前記各微粒子３１、３２、３３、３４の配列作業を極めて簡単にすることができる。
【００７７】
このようにして前記各微粒子３１、３２、３３、３４が、それぞれ第１空間５１、第２空間５２、第３空間５３、第４空間５４に配列された状態で、前記穴７０ｃから前記第１空間５１内に検体を注入する。前記したように、この検体には蛍光標識処理が施されている。
【００７８】
前記検体が前記穴７０ｃから前記第１空間５１内に注入されたときに、前記検査用プレート１を、後縁１ｂを下方向（図１に示すＹ１方向）に向けるとともに、前縁１ａを上方向（図１に示すＹ２方向）に向けて、縦置きの状態となるようにする。なお、前記検査用プレート１を縦置きの状態とするのは、前記検体を前記第１空間５１内に供給する前であっても、あるいは後であってもどちらでも構わない。
【００７９】
前記検査用プレート１が縦置きの状態とされているため、前記第１空間５１内に注入された前記検体は、前記第２空間５２に流れた後、さらに前記第３空間５３および前記第４空間５４に流れる。この際、前記検体は前記第１空間５１に配置された前記第１微粒子３１に接触するとともに、前記第２空間５２内に配置された前記第２微粒子、前記第３空間５３内に配置された前記第３微粒子、前記第４空間５４内に配置された前記微粒子３４に順次接触させ、前記各微粒子３１、３２、３３、３４に固着されたプローブとハイブリダイゼーション（結合反応）させる。この際、前記検体に含まれるＤＮＡなどの検体の特定の成分が、前記各微粒子３１、３２、３３、３４に固着された各プローブと選択的に結合する。この検体がどの微粒子３１、３２、３３、３４のプローブと結合したかを、前記検体に標識された蛍光強度を測定することによって調べ、前記検体の特定成分の検査が可能となる。なお、前記各微粒子３１、３２、３３、３４の蛍光色素の種類の相異または配合の割合の相異に基づく蛍光強度を測定することによって、各微粒子３１、３２、３３、３４のプローブを認識する。
【００８０】
ここで、被検査用物質である検体を前記搬送物として、前記各微粒子３１、３２、３３、３４とともに前記穴７０ｃから前記第１空間５１内に供給することもできる。このとき、前記検体を前記検査用プレート１の外部（例えば他の容器内）で混合した後、この検体と前記第１微粒子３１、第２微粒子３２、第３微粒子３３、および第４微粒子３４との混合物を、前記第１空間５１内に供給しても良いし、あるいは前記第１微粒子３１、第２微粒子３２、前記第３微粒子３３、および前記第４微粒子３４を前記穴７０ｃから前記第１空間５１内に供給した後、前記検体を前記穴７０ｃから前記第１空間５１内に供給しても良い。この場合は、前記第１空間５１内で前記検体と前記各微粒子３１、３２、３３、３４とが接触してハイブリダイゼーションが行われることとなる。
【００８１】
このように、前記搬送物を前記検体によって構成すると、前記各微粒子３１、３２、３３、３４の配列作業とともに、前記プローブと前記検体とのハイブリダイゼーションとを、同じ操作で行うことができるため、迅速な検査を行うことが可能である。
【００８２】
図１１は本発明の第２の実施形態の検査用プレートを上方向（図１１に示すＺ１方向）から見た平面図で図２に相当する図、図１２は図１１に示す検査用プレートをＸＩＩ−ＸＩＩ線で切断して図示Ｘ１方向から見た状態を示した切断断面図、図１３は、図１１に示す検査用プレート１１の基体を上面から見た平面図である。
【００８３】
図１１および図１２に示す検査用プレート１００は、図１ないし図３に示す前記検査用プレート１と、共通する構成部分を有している。したがって、前記検査用プレート１００のうち、図１ないし図３に示す検査用プレート１と同じ構成部分には同じ符号を付して、その詳しい説明を省略する。
【００８４】
前記検査用プレート１００が図１ないし図３に示す検査用プレート１と異なる点は基体の構造にある。図１３に示すように、前記検査用プレート１００の前記基体１１０は、図１ないし図３に示す前記検査用プレート１の前記基体１０と同様に、上面１１０ａに、所定の深さ寸法ｈ２を有する凹部１１１が形成されている。図１３に示す実施形態では、前記凹部１１１は、前記凹部１１１の上縁１１１ａ側から下縁１１１ｂ側に向かうにしたがって、右側縁１１１ｃと左側縁１１１ｄとの間の幅寸法（図１３に示すＸ１−Ｘ２方向の幅寸法）が徐々に小さくなるように構成されており、平面形状が台形形状となるように形成されている。ただし、本発明では、前記凹部１１１の平面形状は他の形状で構成されていても良い。
【００８５】
図１３に示すように、前記基体１１０は前記検査用プレート１と異なり、前記凹部１１１の前記底面１１１ｅに、突部は設けられていない。また図１２に示すように、前記凹部１１１の前記深さ寸法ｈ２が、前記上縁１１１ａから前記下縁１１１ｂにかけて、徐々に小さくなるように、前記凹部１１１の底面１１１ｅが傾斜面として形成されている。
【００８６】
前記検査用プレート１００では、前記基体１１０の前記上面１１０ａに蓋体７０が接合されており、図１２および図１３に示すように、前記凹部１１１と前記蓋体７０とで囲まれた領域が空間１５０を形成している。
【００８７】
前記空間１５０では、前記凹部１１１の前記底面１１１ｅが傾斜面として形成されている。したがって、前記凹部１１１の前記底面１１１ｅから前記蓋体７０の下面７０ｂまでの間隔も、前記検査用プレート１００の前縁１００ａ方向から後縁１００ｂ方向へ向かうにしたがって狭まるように構成されている。
【００８８】
前記空間１５０内では、第１微粒子３１の表面が前記空間１５０を構成する前記底面１１１ｅと前記下面７０ｂとに接触し、しかも前記第１微粒子３１が下方に移動不可能な状態で配置されている。前記底面１１１ｅのうち前記第１微粒子３１が接触している接触部１１１ｅ１と、前記下面７０ｂのうち前記第１微粒子３１が接触している接触部７０ｂ１との間隔Ｗ１１は、前記第１微粒子３１の前記直径寸法Ｄ１と同じである。
【００８９】
また前記空間１５０内では、第２微粒子３２の表面が前記空間１５０を構成する前記底面１１１ｅと前記下面７０ｂとに接触し、しかも前記第２微粒子３２が下方に移動不可能な状態で配置されている。前記底面１１１ｅのうち前記第２微粒子３２が接触している接触部１１１ｅ２と、前記下面７０ｂのうち前記第２微粒子３２が接触している接触部７０ｂ２との間隔Ｗ１２は、前記第２微粒子３２の前記直径寸法Ｄ２と同じである。
【００９０】
また前記空間１５０内では、第３微粒子３３の表面が前記空間１５０を構成する前記底面１１１ｅと前記下面７０ｂとに接触し、しかも前記第３微粒子３３が下方に移動不可能な状態で配置されている。前記底面１１１ｅのうち前記第３微粒子３３が接触している接触部１１１ｅ３と、前記下面７０ｂのうち前記第３微粒子３３が接触している接触部７０ｂ３との間隔Ｗ１３は、前記第３微粒子３３の前記直径寸法Ｄ３と同じである。
【００９１】
また前記空間１５０内では、第４微粒子３４の表面が前記空間１５０を構成する前記底面１１１ｅと前記下面７０ｂとに接触し、しかも前記第４微粒子３４が下方に移動不可能な状態で配置されている。前記底面１１１ｅのうち前記第４微粒子３４が接触している接触部１１１ｅ４と、前記下面７０ｂのうち前記第４微粒子３４が接触している接触部７０ｂ４との間隔Ｗ１４は、前記第４微粒子３４の前記直径寸法Ｄ４と同じである。
【００９２】
前記接触部１１１ｅ１と前記接触部７０ｂ１とが本発明の位置規制部となり、両接触部１１１ｅ１および７０ｂ１とで本発明の位置規制手段を構成する。また、前記接触部１１１ｅ２と前記接触部７０ｂ２とが本発明の位置規制部となり、両接触部１１１ｅ２および７０ｂ２とで本発明の位置規制手段を構成する。また、前記接触部１１１ｅ３と前記接触部７０ｂ３とが本発明の位置規制部となり、両接触部１１１ｅ３および７０ｂ３とで本発明の位置規制手段を構成する。また、前記接触部１１１ｅ４と前記接触部７０ｂ４とが本発明の位置規制部となり、両接触部１１１ｅ４および７０ｂ４とで本発明の位置規制手段を構成する。
【００９３】
ここで、前記間隔Ｗ１１は前記間隔Ｗ１２、Ｗ１３およびＷ１４よりも大きく形成され、前記間隔Ｗ１２は前記間隔Ｗ１３およびＷ１４より大きく形成され、前記間隔Ｗ１３は前記間隔Ｗ１４よりも大きく形成されている。
【００９４】
すなわち、前記間隔Ｗ１１と前記間隔Ｗ１２と前記間隔Ｗ１３と前記間隔Ｗ１４の大きさの関係は、Ｗ１１＞Ｗ１２＞Ｗ１３＞Ｗ１４の関係を有している。すなわち、前記検査用プレート１００の最も前縁１００ａ側に位置する前記間隔Ｗ１１が最も大きく、且つ前記検査用プレート１００の最も後縁１００ｂ側に位置する前記間隔Ｗ１４が最も小さい。また、前記前縁１００ａ側から前記後縁１００ｂ側に向かうにしたがって、前記間隔Ｗ１１、Ｗ１２、Ｗ１３、Ｗ１４が小さくなる順序である。
【００９５】
また、前記第１微粒子３１の前記直径寸法Ｄ１は、前記間隔Ｗ１２、Ｗ１３、Ｗ１４よりも大きく形成されている。
【００９６】
また、前記第２微粒子３２の前記直径寸法Ｄ２は、前記間隔Ｗ１１よりも小さく形成され、かつ前記間隔Ｗ１３およびＷ１４よりも大きく形成されている。
【００９７】
また、前記第３微粒子３３の前記直径寸法Ｄ３は、前記間隔Ｗ１１およびＷ１２よりも小さく形成され、かつ前記間隔Ｗ１４よりも大きく形成されている。
【００９８】
また、前記第４微粒子３４の直径寸法Ｄ４は、前記間隔Ｗ１１、Ｗ１２およびＷ１３よりも小さく形成されている。
【００９９】
したがって、前記第１微粒子３１、前記第２微粒子３２、前記第３微粒子３３、および前記第４微粒子３４が、前記穴７０ｃから前記空間１５０内に供給されたときに、前記検査用プレート１が後縁１００ｂを下方向（図１１に示すＹ１方向）に向けるとともに、前縁１００ａを上方向（図１１に示すＹ２方向）に向けて、縦置きの状態とされている場合には、前記各第１空間５１内に供給された前記各微粒子３１、３２、３３、３４は、前記検査用プレート１が縦置きの状態とされていることから、自重によって穴７０ｄ方向へ移動する。
【０１００】
このとき前記したように、前記検査用プレート１００では、前記接触部１１１ｅ１と前記接触部７０ｂ１との間隔Ｗ１１が、前記第１微粒子３１の前記直径寸法Ｄ１と同じに形成されている。また、前記接触部１１１ｅ２と前記接触部７０ｂ２との間隔Ｗ２が、前記第２微粒子３２の前記直径寸法Ｄ２と同じに形成されている。また、前記接触部１１１ｅ３と前記接触部７０ｂ３との間隔Ｗ３が、前記第３微粒子３３の前記直径寸法Ｄ３と同じに形成されている。さらに、また、前記接触部１１１ｅ４と前記接触部７０ｂ４との間隔Ｗ４が、前記第４微粒子３４の前記直径寸法Ｄ４と同じに形成されている。
【０１０１】
したがって、前記第１微粒子３１は、前記接触部１１１ｅ１と前記接触部７０ｂ１とに接触し、両接触部１１１ｅ１と７０ｂ１との間で挟持された状態で位置規制され、前記空間１５０内に配置される。
【０１０２】
また前記第２微粒子３２の前記直径寸法Ｄ２は、前記間隔Ｗ１１よりも小さく形成されているため、前記接触部１１１ｅ１および前記接触部７０ｂ１を通過し、前記接触部１１１ｅ２および前記接触部７０ｂ２とに接触し、両接触部１１１ｅ２と７０ｂ２との間で挟持された状態で位置規制され、前記空間１５０内に配置される。
【０１０３】
また前記第３微粒子３３の前記直径寸法Ｄ３は、前記間隔Ｗ１１およびＷ１２よりも小さく形成されているため、前記接触部１１１ｅ１、１１１ｅ２および前記接触部７０ｂ１、７０ｂ２を通過し、前記接触部１１１ｅ３および前記接触部７０ｂ３とに接触し、両接触部１１１ｅ３と７０ｂ３との間で挟持された状態で位置規制され、前記空間１５０内に配置される。
【０１０４】
また前記第４微粒子３４の前記直径寸法Ｄ４は、前記間隔Ｗ１１Ｗ１１、Ｗ１２およびＷ１３よりも小さく形成されているため、前記接触部１１１ｅ１、１１１ｅ２、１１１ｅ３および前記接触部７０ｂ１、７０ｂ２、７０ｂ３を通過し、前記接触部１１１ｅ４および前記接触部７０ｂ４とに接触し、両接触部１１１ｅ４と７０ｂ４との間で挟持された状態で位置規制され、前記空間１５０内に配置される。
【０１０５】
このときの状態を示したのが図１１および図１２である。
したがって、前記検査用プレート１００でも、前記各微粒子３１、３２、３３、３４をまとめて前記穴７０ｃから前記空間１５０内に供給すれば、前記各接触部１１１ｅ１，１１１ｅ２，１１１ｅ３，１１１ｅ４と、前記各接触部７０ｂ１、７０ｂ２、７０ｂ３、７０ｂ４によって、前記各微粒子３１、３２、３３、３４を位置規制できるため、前記各微粒子３１、３２、３３、３４を、前記検査用プレート１００の所定位置（順序）に確実に配列させることを用意に行うことが可能である。したがって、前記検査用プレート１００内に、前記各微粒子３１、３２、３３、３４を配列する際、各微粒子３１、３２、３３、３４の種類毎に別々に挿入して配列する必要がないため、前記各微粒子３１、３２、３３、３４の配列作業を極めて簡単にすることができる。
【０１０６】
なお、前記検査用プレート１および１００においては、前記各微粒子３１、３２、３３、３４を前記穴７０ｃからコンプレッサーなどの加圧手段を用いて、前記穴７０ｃから前記穴７０ｄ方向に流しても良い。あるいは、前記穴７０ｄから、コンプレッサーなどの減圧手段を用いて減圧することによって、前記穴７０ｃから前記穴７０ｄ方向に流しても良い。
【０１０７】
このように、前記加圧手段や前記減圧手段を用いて前記各微粒子３１、３２、３３、３４を流す場合には、必ずしも前記検査用プレート１を縦置きの状態としなくても良い。
【図面の簡単な説明】
【０１０８】
【図１】本発明の第１の実施形態である検査用プレートの外観斜視図、
【図２】図１に示す検査用プレートを上方向から見た状態を示す平面図、
【図３】図１に示す検査用プレートをＩＩＩ−ＩＩＩ線で切断して図示Ｘ１方向から見た状態を示す切断断面図、
【図４】図１に示す検査用プレートの基体を上方向から見た平面図、
【図５】図４に示す基体をＶ−Ｖ線で切断して図示Ｙ１方向から見た状態を示す切断断面図、
【図６】図１に示す検査用プレートに配置される微粒子の配置方法を模式的に示す説明図、
【図７】図１に示す検査用プレートに配置される微粒子の配置方法を模式的に示す説明図、
【図８】図１に示す検査用プレートに配置される微粒子の配置方法を模式的に示す説明図、
【図９】図１に示す検査用プレートに配置される微粒子の配置方法を模式的に示す説明図、
【図１０】図１に示す検査用プレートに配置される微粒子の配置方法を模式的に示す説明図、
【図１１】本発明の第２の実施形態の検査用プレートを上方向から見た状態を示す平面図、
【図１２】図１１に示す検査用プレートをＸＩＩ−ＸＩＩ線で切断して図示Ｘ１方向から見た状態を示す切断断面図、
【図１３】図１１に示す検査用プレートの基体を上方向から見た平面図、
【符号の説明】
【０１０９】
１，１００  検査用プレート
１ａ，１００ａ  前縁
１ｂ，１００ｂ  後縁
１０，１１０  基体
１１，１１１  凹部
１１ａ，１１１ａ  上縁
１１ｂ，１１１ｂ  下縁
１１ｃ，１１１ｃ  右側縁
１１ｄ，１１１ｄ  左側縁
１１ｅ，１１１ｅ  底面
１２ａ  第１篩部
１２ｂ  第２篩部
１２ｃ  第３篩部
１２ｄ  第４篩部
２０  突部
２０ａ  上縁
２０ｂ  下縁
２１  突部
２１ａ  上縁
２１ｂ  下縁
２２  突部
２２ａ  上縁
２２ｂ  下縁
２３  突部
２３ａ  上縁
２３ｂ  下縁
３１  第１微粒子
３２  第２微粒子
３３  第３微粒子
３４  第４微粒子
４１  第１領域
４２  第２領域
４３  第３領域
４４  第４領域
５０  空間
５１  第１空間
５２  第２空間
５３  第３空間
５４  第４空間
５５  第５空間
７０  蓋体
７０ｂ１  接触部
７０ｂ２  接触部
７０ｂ３  接触部
７０ｂ４  接触部
７０ｃ  穴
７０ｄ  穴
１１１ｅ１  接触部
１１１ｅ２  接触部
１１１ｅ３  接触部
１１１ｅ４  接触部
１５０  空間
【図１】
2006058195.tif 000003
【図２】
2006058195.tif 000004
【図３】
2006058195.tif 000005
【図４】
2006058195.tif 000006
【図５】
2006058195.tif 000007
【図６】
2006058195.tif 000008
【図７】
2006058195.tif 000009
【図８】
2006058195.tif 000010
【図９】
2006058195.tif 000011
【図１０】
2006058195.tif 000012
【図１１】
2006058195.tif 000013
【図１２】
2006058195.tif 000014
【図１３】
2006058195.tif 000015